【手続補正書】
【提出日】平成18年10月27日(2006.10.27)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  第１装置と第２装置とが分離可能であり、第１消費電力で前記第１装置を制御する第１制御手段と第２消費電力で前記第２装置を制御する第２制御手段とが接続手段を介して情報を送受信し、前記第１装置の電力を前記第２装置から供与する画像形成装置において、
前記第１制御手段は、前記接続手段を介して前記第２制御手段から前記第２消費電力の情報を受け取り、受け取った該第２消費電力の情報と前記第１消費電力に基づいた消費電力の合計が規定電力内か否かを判断し、該消費電力の合計が該規定電力内になるように、前記第１消費電力と前記第２消費電力を設定し、該設定された前記第２消費電力の情報を、前記接続手段を介して前記第２制御手段に送信することを特徴とする画像形成装置。
【請求項２】  前記第１消費電力として、前記第１装置の総消費電力と、前記第１装置の第１特定部に通常使用される通常使用消費電力と、該第１特定部に使用される該通常使用消費電力よりも低い複数の低消費電力とを有し、
前記第２消費電力として、前記第２装置の総消費電力と、前記第２装置の第２特定部に通常使用される通常使用消費電力と、該第２特定部に使用される該通常使用消費電力よりも低い複数の低消費電力とを有し、
前記第１制御手段は、前記第１装置の総消費電力と前記第２装置の総消費電力の情報に基づいた消費電力の合計が前記規定電力内と判断すると、前記第１特定部と前記第２特定部に前記通常使用消費電力をそれぞれ設定し、前記消費電力の合計が前記規定電力を超えると判断すると、前記第１特定部に供給される複数の低消費電力と前記第２特定部に供給される複数の低消費電力の組合せによる消費電力の合計が前記規定電力内となるか否かを判断し、該低消費電力の組合せによる消費電力の合計が前記規定電力内となると判断すると、前記第１特定部と前記第２特定部に該低消費電力をそれぞれ設定することを特徴とする請求項１に記載の画像形成装置。
【請求項３】  前記第１制御手段は、前記低消費電力の組合せによる消費電力の合計が前記規定電力を超えると判断すると、前記１装置と前記第２装置の組合せによる使用を禁止することを特徴とする請求項１または２に記載の画像形成装置。
【請求項４】  前記第１制御手段は、前記１装置と前記第２装置の組合せによる使用を禁止すると、その旨を表示手段に表示させるように、前記接続手段を介して前記第２制御手段に送信することを特徴とする請求項３に記載の画像形成装置。
【請求項５】  第１装置と第２装置とが分離可能であり、第１消費電力で前記第１装置を制御する第１制御手段と第２消費電力で前記第２装置を制御する第２制御手段とが接続手段を介して情報を送受信し、前記第１装置の電力を前記第２装置から供与する画像形成装置において、
前記第２制御手段は、前記接続手段を介して前記第１制御手段から前記第１消費電力の情報を受け取り、受け取った該第１消費電力の情報と前記第２消費電力に基づいた消費電力の合計が規定電力内か否かを判断し、該消費電力の合計が該規定電力内になるように、前記第１消費電力と前記第２消費電力を設定し、該設定された前記第１消費電力の情報を、前記接続手段を介して前記第１制御手段に送信することを特徴とする画像形成装置。
【請求項６】  前記第１消費電力として、前記第１装置の総消費電力と、前記第１装置の第１特定部に通常使用される通常使用消費電力と、該第１特定部に使用される該通常使用消費電力よりも低い複数の低消費電力とを有し、
前記第２消費電力として、前記第２装置の総消費電力と、前記第２装置の第２特定部に通常使用される通常使用消費電力と、該第２特定部に使用される該通常使用消費電力よりも低い複数の低消費電力とを有し、
前記第２制御手段は、前記第１装置の総消費電力と前記第２装置の総消費電力の情報に基づいた消費電力の合計が前記規定電力内と判断すると、前記第１特定部と前記第２特定部に前記通常使用消費電力をそれぞれ設定し、前記消費電力の合計が前記規定電力を超えると判断すると、前記第１特定部に供給される複数の低消費電力と前記第２特定部に供給される複数の低消費電力の組合せによる消費電力の合計が前記規定電力内となるか否かを判断し、該低消費電力の組合せによる消費電力の合計が前記規定電力内となると判断すると、前記第１特定部と前記第２特定部に該低消費電力をそれぞれ設定することを特徴とする請求項５に記載の画像形成装置。
【請求項７】  前記第２制御手段は、前記低消費電力の組合せによる消費電力の合計が前記規定電力を超えると判断すると、前記１装置と前記第２装置の組合せによる使用を禁止することを特徴とする請求項５または６に記載の画像形成装置。
【請求項８】  前記第２制御手段は、前記１装置と前記第２装置の組合せによる使用を禁止すると、その旨を表示手段に表示させるように、前記接続手段を介して前記第１制御手段に送信することを特徴とする請求項７に記載の画像形成装置。
【請求項９】  前記第１装置は原稿画像を読取る画像読取装置であり、前記第２装置は該画像読取装置が読取った画像を用紙等の記録媒体に書き込み記録する画像書き込み装置であり、前記第１特定部は前記画像読取装置のモータ部であり、前記第２特定部は前記画像書き込み装置の定着部であることを特徴とする請求項１ないし８のいずれかに記載の画像形成装置。
【手続補正３】
【補正対象書類名】明細書
【補正対象項目名】０００１
【補正方法】変更
【補正の内容】
【０００１】
【発明の属する技術分野】
本発明は、原稿画像を読取る画像読取装置（リーダ部）と読取った画像を用紙等の記録媒体に書き込み記録する画像書込み装置（プリンタ部、画像記録部）とが分離可能であり、プリンタ部とリーダ部の電力消費および制御方式に特徴を備えた画像形成装置に関する。
【手続補正４】
【補正対象書類名】明細書
【補正対象項目名】０００５
【補正方法】変更
【補正の内容】
【０００５】
本発明は、このような従来技術の課題を解決するためになされたもので、その目的とするところは、製品発売時の設定だけでなく、限りなく広範囲な組み合わせを可能とし、ユーザーに豊富な製品ラインナップを持つ画像形成装置を提供することにある。
【手続補正５】
【補正対象書類名】明細書
【補正対象項目名】０００６
【補正方法】変更
【補正の内容】
【０００６】
【課題を解決するための手段】
上記目的を達成するため、請求項１の発明は、第１装置と第２装置とが分離可能であり、第１消費電力で前記第１装置を制御する第１制御手段と第２消費電力で前記第２装置を制御する第２制御手段とが接続手段を介して情報を送受信し、前記第１装置の電力を前記第２装置から供与する画像形成装置において、前記第１制御手段は、前記接続手段を介して前記第２制御手段から前記第２消費電力の情報を受け取り、受け取った該第２消費電力の情報と前記第１消費電力に基づいた消費電力の合計が規定電力内か否かを判断し、該消費電力の合計が該規定電力内になるように、前記第１消費電力と前記第２消費電力を設定し、該設定された前記第２消費電力の情報を、前記接続手段を介して前記第２制御手段に送信することを特徴とする。
【手続補正６】
【補正対象書類名】明細書
【補正対象項目名】０００７
【補正方法】変更
【補正の内容】
【０００７】
ここで、前記第１消費電力として、前記第１装置の総消費電力と、前記第１装置の第１特定部に通常使用される通常使用消費電力と、該第１特定部に使用される該通常使用消費電力よりも低い複数の低消費電力とを有し、前記第２消費電力として、前記第２装置の総消費電力と、前記第２装置の第２特定部に通常使用される通常使用消費電力と、該第２特定部に使用される該通常使用消費電力よりも低い複数の低消費電力とを有し、前記第１制御手段は、前記第１装置の総消費電力と前記第２装置の総消費電力の情報に基づいた消費電力の合計が前記規定電力内と判断すると、前記第１特定部と前記第２特定部に前記通常使用消費電力をそれぞれ設定し、前記消費電力の合計が前記規定電力を超えると判断すると、前記第１特定部に供給される複数の低消費電力と前記第２特定部に供給される複数の低消費電力の組合せによる消費電力の合計が前記規定電力内となるか否かを判断し、該低消費電力の組合せによる消費電力の合計が前記規定電力内となると判断すると、前記第１特定部と前記第２特定部に該低消費電力をそれぞれ設定することを特徴とすることができる。
【手続補正７】
【補正対象書類名】明細書
【補正対象項目名】０００８
【補正方法】変更
【補正の内容】
【０００８】
また、前記第１制御手段は、前記低消費電力の組合せによる消費電力の合計が前記規定電力を超えると判断すると、前記１装置と前記第２装置の組合せによる使用を禁止することを特徴とすることができる。
【手続補正８】
【補正対象書類名】明細書
【補正対象項目名】０００９
【補正方法】変更
【補正の内容】
【０００９】
また、前記第１制御手段は、前記１装置と前記第２装置の組合せによる使用を禁止すると、その旨を表示手段に表示させるように、前記接続手段を介して前記第２制御手段に送信することを特徴とすることができる。
【手続補正９】
【補正対象書類名】明細書
【補正対象項目名】００１０
【補正方法】変更
【補正の内容】
【００１０】
上記目的を達成するため、請求項５の発明は、第１装置と第２装置とが分離可能であり、第１消費電力で前記第１装置を制御する第１制御手段と第２消費電力で前記第２装置を制御する第２制御手段とが接続手段を介して情報を送受信し、前記第１装置の電力を前記第２装置から供与する画像形成装置において、前記第２制御手段は、前記接続手段を介して前記第１制御手段から前記第１消費電力の情報を受け取り、受け取った該第１消費電力の情報と前記第２消費電力に基づいた消費電力の合計が規定電力内か否かを判断し、該消費電力の合計が該規定電力内になるように、前記第１消費電力と前記第２消費電力を設定し、該設定された前記第１消費電力の情報を、前記接続手段を介して前記第１制御手段に送信することを特徴とする。
【手続補正１０】
【補正対象書類名】明細書
【補正対象項目名】００１１
【補正方法】変更
【補正の内容】
【００１１】
ここで、前記第１消費電力として、前記第１装置の総消費電力と、前記第１装置の第１特定部に通常使用される通常使用消費電力と、該第１特定部に使用される該通常使用消費電力よりも低い複数の低消費電力とを有し、前記第２消費電力として、前記第２装置の総消費電力と、前記第２装置の第２特定部に通常使用される通常使用消費電力と、該第２特定部に使用される該通常使用消費電力よりも低い複数の低消費電力とを有し、前記第２制御手段は、前記第１装置の総消費電力と前記第２装置の総消費電力の情報に基づいた消費電力の合計が前記規定電力内と判断すると、前記第１特定部と前記第２特定部に前記通常使用消費電力をそれぞれ設定し、前記消費電力の合計が前記規定電力を超えると判断すると、前記第１特定部に供給される複数の低消費電力と前記第２特定部に供給される複数の低消費電力の組合せによる消費電力の合計が前記規定電力内となるか否かを判断し、該低消費電力の組合せによる消費電力の合計が前記規定電力内となると判断すると、前記第１特定部と前記第２特定部に該低消費電力をそれぞれ設定することを特徴とすることができる。
【手続補正１１】
【補正対象書類名】明細書
【補正対象項目名】００１２
【補正方法】変更
【補正の内容】
【００１２】
また、前記第２制御手段は、前記低消費電力の組合せによる消費電力の合計が前記規定電力を超えると判断すると、前記１装置と前記第２装置の組合せによる使用を禁止することを特徴とすることができる。
【手続補正１２】
【補正対象書類名】明細書
【補正対象項目名】００１３
【補正方法】変更
【補正の内容】
【００１３】
また、前記第２制御手段は、前記１装置と前記第２装置の組合せによる使用を禁止すると、その旨を表示手段に表示させるように、前記接続手段を介して前記第１制御手段に送信することを特徴とすることができる。
【手続補正１３】
【補正対象書類名】明細書
【補正対象項目名】００１４
【補正方法】変更
【補正の内容】
【００１４】
また、前記第１装置は原稿画像を読取る画像読取装置であり、前記第２装置は該画像読取装置が読取った画像を用紙等の記録媒体に書き込み記録する画像書き込み装置であり、前記第１特定部は前記画像読取装置のモータ部であり、前記第２特定部は前記画像書き込み装置の定着部であることを特徴とすることができる。
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００４９
【補正方法】変更
【補正の内容】
【００４９】
低圧電源ユニット２０３は商用電源（不図示）からＡＣ電圧を受け取り、メインコントローラ２０１の指示の元に、低圧電源を生成する。低圧電源として、ＣＰＵ（図示しない）等の制御部に給電する制御電源（３．３Ｖ等）やモータやソレノイドを駆動するためのパワー電源（２４Ｖ等）を生成する。制御電源はライン３０２を介してリーダコントローラ１２０に供給されると共に、プリンタ部１５０内の必要な各ユニット（図示しない）に供給される。また、パワー電源はライン３０３を介してリーダコントローラ１２０に供給されると共にプリンタ部１５０内の必要な各ユニット（図示しない）に供給される。
【手続補正３２】
【補正対象書類名】明細書
【補正対象項目名】０１０４
【補正方法】変更
【補正の内容】
【０１０４】
そして、メインコントローラ２０１においてプリンタ部１５０の消費電力とリーダ部１１０の消費電力の合計が所定の値（ここでは１．５ｋＷ以下とする）以下であるかどうかを判断する（Ｓ１００２）。その合計が１．５ｋＷ以下であれば、メインコントローラ２０１はプリンタ部１５０の定着制御およびリーダ部１１０のモータ制御を通常の消費電力モードに設定する（Ｓ１００３）。そして、メインコントローラ２０１で設定されたリーダ部１１０のモータ制御の制御モードをプリンタ部１５０のメインコントローラ２０１からリーダ部１１０のリーダコントローラ１２０へ送信する（Ｓ１００４）。